(57)【要約】      （修正有）【課題】複雑な操作を要することなく認証を行い、認証が成立した場合に、収納容器を開放可能にする認証装置、認証方法、認証システムおよび収納システムを提供する。【解決手段】認証装置は、周囲の環境に存在するエネルギーに基づいて発電する発電部からの発電情報に応じて、認証処理を行う認証部を有する。取得した発電情報とメモリに記憶された認証用のパターンとを比較し、一致した場合、ロックを解除する。【選択図】図６
2013188345.tif 000002
【特許請求の範囲】
【請求項１】
周囲の環境に存在するエネルギーに基づいて発電する発電部からの発電情報に応じて、認証処理を行う認証部を有する認証装置。
【請求項２】
前記発電部で生成された電力が前記認証部に供給される請求項１に記載の認証装置。
【請求項３】
前記発電部が前記発電情報を生成したタイミングを記憶する記憶部を有する請求項１に記載の認証装置。
【請求項４】
所定の発電情報が記憶される記憶部を有し、
前記認証部は、前記所定の発電情報と前記発電部からの発電情報とを比較することにより前記認証処理を行う請求項１に記載の認証装置。
【請求項５】
周囲の環境に存在するエネルギーに基づいて発電する発電部からの発電情報に応じて、認証処理を行う認証装置における認証方法。
【請求項６】
周囲の環境に存在するエネルギーに基づいて発電する発電部と、
前記発電部からの発電情報に応じて、認証処理を行う認証部と
を有する認証システム。
【請求項７】
所定の収納物を収納する収納部と、
周囲の環境に存在するエネルギーに基づいて発電する発電部からの発電情報に応じて、認証処理を行う認証部と
を有する収納システム。
【請求項８】
前記認証処理において認証が成立する場合に、前記収納物を前記収納部から外部に取り出し可能とする請求項７に記載の収納システム。
【請求項９】
前記認証処理において認証が成立する場合に、前記収納物を前記収納部から外部に放出する請求項７に記載の収納システム。
【請求項１０】
前記認証処理において認証が成立する場合に、前記収納物に対して前記所定物を適量、収納する請求項７に記載の収納システム。
【請求項１１】
前記認証処理において認証が成立する場合に、前記収納物を示す情報を報知する請求項７に記載の収納システム。
【発明の詳細な説明】
【技術分野】
【０００１】
本開示は、例えば、発電部からの発電情報に応じて認証を行う認証装置、認証方法、認証システムおよび収納システムに関する。
【背景技術】
【０００２】
薬剤を服用する際は、薬剤の内容を正しく認識し、適量を適切なタイミングで服用しなければならない。さらに、薬剤を服用したことを記録し、薬剤を服用することを忘れないようにすることが望ましい。下記特許文献１には、薬剤に関する情報を記録する投薬装置が記載されている。薬剤は、通常、粉状やカプセル状であることから、特に、子供が誤飲するおそれがある。誤飲を防止するために、図１に模式的に示すような、薬剤の収納瓶１の蓋部２を押し込みながら回転させないと蓋部２が開放されないようにした収納瓶なども提案されている。図１に示す収納瓶の機能は、チャイルドプルーフなどと称される。
【先行技術文献】
【特許文献】
【０００３】
【特許文献１】特開２００９−１１２３２４号公報
【発明の概要】
【発明が解決しようとする課題】
【０００４】
図１に示す収納瓶は、子供による薬剤の誤飲を防ぐのに一定の効果を発揮する。しかしながら、手の不自由な人にとっては、かえって収納瓶を開けにくくなってしまう問題があった。さらに、誤飲を防止するためには、収納瓶の内容が報知されることがより望ましい。
【０００５】
したがって、本開示の目的の一つは、複雑な操作を要することなく認証を行い、認証が成立した場合に、収納容器を開放可能にする認証装置、認証方法、認証システムおよび収納システムを提供することにある。
【課題を解決するための手段】
【０００６】
上述した課題を解決するために、本開示は、例えば、
周囲の環境に存在するエネルギーに基づいて発電する発電部からの発電情報に応じて、認証処理を行う認証部を有する認証装置である。
【０００７】
本開示は、例えば、
周囲の環境に存在するエネルギーに基づいて発電する発電部からの発電情報に応じて、認証処理を行う認証装置における認証方法である。
【０００８】
本開示は、例えば、
周囲の環境に存在するエネルギーに基づいて発電する発電部と、
発電部からの発電情報に応じて、認証処理を行う認証部と
を有する認証システムである。
【０００９】
本開示は、例えば、
所定の収納物を収納する収納部と、
発電部からの発電情報に応じて、認証処理を行う認証部と
を有する収納システムである。
【発明の効果】
【００１０】
少なくとも一つの実施形態によれば、発電部の発電情報に応じて認証を行い、認証が成立した場合に、収納容器を開放可能にすることができる。
【図面の簡単な説明】
【００１１】
【図１】チャイルドプルーフを説明するための図である。
【図２】薬品瓶の外観の一例を示す図である。
【図３】薬品瓶の構成の一例を示す図である。
【図４】着磁された蓋部の一例を説明するための図である。
【図５】第１の実施形態における認証装置の構成の一例を示す図である。
【図６】第１の実施形態における処理の流れの一例を示す、フローチャートである。
【図７】カプセルの外観を説明するための図である。
【図８】カプセルから薬剤が放出される様子を模式的に示した図である。
【図９】カプセル装置の構成の一例を示す図である。
【図１０】外部装置の構成の一例を示す図である。
【図１１】第２の実施形態における処理の流れの一例を示す、フローチャートである。
【図１２】第３の実施形態の概要を模式的に示した図である。
【図１３】第３の実施形態における認証装置の構成の一例を示す図である。
【図１４】第３の実施形態における処理の流れの一例を示す、フローチャートである。
【図１５】第４の実施形態の概要を模式的に示した図である。
【図１６】送信装置の構成の一例を示す図である。
【図１７】携帯端末の構成の一例を示す図である。
【図１８】第４の実施形態における処理の流れの一例を示す、フローチャートである。
【発明を実施するための形態】
【００１２】
以下、本開示の実施の形態について図面を参照しながら説明する。なお、説明は、以下の順序で行う。
＜１．第１の実施形態＞
＜２．第２の実施形態＞
＜３．第３の実施形態＞
＜４．第４の実施形態＞
＜５．変形例＞
なお、以下に説明する実施形態および変形例は、本開示の好適な具体例であり、本開示の内容がこれらの実施形態および変形例に限定されるものではない。
【００１３】
本開示における発電部は、周囲の環境に存在するエネルギーに基づいて発電する。発電部は、例えば、光や熱、振動、電波、温度差、イオン濃度差に基づいて発電する。これらのエネルギーは、自然界に存在するものに限られない。例えば、ユーザの動作やユーザの身体が発する熱などでもよい。車両等の移動体が発する熱でもよい。ユーザや移動体が有する電子機器が発する電磁波でもよい。
【００１４】
＜１．第１の実施形態＞
「薬品瓶の概要」
始めに、第１の実施形態について説明する。第１の実施形態は、本開示を、薬剤を収納する薬品瓶に適用したものである。
【００１５】
図２は、第１の実施形態における薬品瓶の外観の一例を示す。薬品瓶１０は、例えば、蓋部１０ａと薬剤が収納される収納部１０ｂとを含む。収納部１０ｂに収納される薬剤は、例えば、カプセル状や粉状のものである。収納部１０ｂには、蓋取り付け部１０ｃが形成されている。蓋取り付け部１０ｃに蓋部１０ａが回転によって取り付けられる。
【００１６】
蓋部１０ａが蓋取り付け部１０ｃに取り付けられた状態では、図示しないロックがかけられ、蓋部１０ａを取り外すことができないようにされている。詳細は後述するが、認証が成立した場合にロックが解除され、蓋部１０ａを回転できるようにされている。例えば、蓋部１０ａを所定回数、回転した場合に認証が成立する。所定回数は、例えば、３回とされる。もちろん、所定回数は他の回数でもよく、さらに、右に３回転、左に１回転などのように回転方向に関する情報を併用してもよい。さらに、回転速度に関する情報を併用してもよい。
【００１７】
図３は、薬品瓶１０の断面の一例を示す。蓋取り付け部１０ｃの周囲には、ボビン１１が形成されている。ボビン１１にコイル１２が収納されている。蓋部１０ａの溝と蓋取り付け部１０ｃの溝とが係合しあうことで、蓋部１０ａが回転される。
【００１８】
蓋部１０ａは、着磁されている。図４は、着磁された蓋部１０ａの一例を示す。例えば、蓋部１０ａは、略均等に四分割され、Ｎ極およびＳ極に交互に着磁されている。もちろん、図４に示す蓋部１０ａの例は一例であり、これに限定されることはない。例えば、蓋部１０ａが八分割されて、Ｎ極とＳ極とに交互に着磁されてもよい。蓋部１０ａを回転させることで、蓋部１０ａとコイル１２との相対的な位置関係が変化する。位置関係が変化することにより起電力が生じ、発電がなされる。
【００１９】
「認証装置の構成」
薬品瓶１０は、認証装置を有する。図５は、薬品瓶１０が有する認証装置１００の構成の一例を示す。認証装置１００は、発電部１０１、整流回路１０２、蓄電部１０３、定電圧回路１０４、制御部１０５、メモリ１０６および開閉機構１０７を含む構成とされる。例えば、整流回路１０２、蓄電部１０３および定電圧回路１０４により電源部１１０が構成される。
【００２０】
発電部１０１は、例えば、磁性体である蓋部１０ａと、コイル１２とからなる。発電部１０１は、他の方式で発電するようにしてもよい。例えば、薬品瓶１０の周囲の一部に圧電材料からなる圧電素子が取り付けても良い。圧電素子の箇所が押下されることで、発電がなされ、発電情報が得られるようにしてもよい。
【００２１】
圧電材料は、チタン酸ジルコン酸鉛（PZT）、チタン酸鉛（PbTiO3）、タンタル酸リチウム（LiTaO3）、ニオブ酸リチウム（LiNbO3）、リチウムテトラボレート（Li2B4O7）、ランガサイト（La3Ga5SiO14）、水晶（SiO2）、酸化亜鉛（ZnO）、酒石酸カリウム-ナトリウム（KNaC4H4O6）、窒化アルミニウム（AlN）、トルマリン（tourmaline：ケイ酸塩鉱物）、ポリフッ化ビニルデン（PVDF）、VDFオリゴマー、フッ素系圧電材料などを使用できる。これらは、バルク型でもよく、薄膜成膜やコーティングされたものでもよい。
【００２２】
発電部１０１からの発電情報は、制御部１０５に対して供給される。発電情報は、例えば、発電部１０１が生成する電圧の波形そのものでもよく、波形のレベルや波形間の時間的な間隔など、電圧の波形を使用して得られる情報でもよい。
【００２３】
整流回路１０２は、発電部１０１で発生された電圧を整流する回路である。整流回路１０２は、例えば、ダイオードやダイオードブリッジから構成される。
【００２４】
蓄電部１０３は、例えば、電気二重層キャパシタ、リチウムイオンキャパシタ、ポリアセン系有機半導体（Polyacenic Semiconductor（ＰＡＳ））キャパシタ、ナノゲートキャパシタ（「ナノゲート」は、ナノゲート・アクチエンゲゼルシャフトの登録商標）、セラミックコンデンサ、フィルムコンデンサ、アルミ電解コンデンサ、タンタルコンデンサなどである。蓄電部１０３は、整流回路１０２から出力される直流電圧により蓄電する。
【００２５】
定電圧回路１０４は、蓄電部１０３の出力電圧を所定の電圧に変換して、出力電圧を安定させる回路である。電源部１１０（定電圧回路１０４）からの出力電圧が、例えば、制御部１０５およびメモリ１０６に供給される。
【００２６】
このように、発電部１０１が発電した電力を蓄電し、蓄電した電力を各部に対して供給することができる。このため、例えば、各部を動作させるための電池等の電源を不要とすることができる。なお、本開示は、電池等の使用を絶対的に排除するものではない。電池を使用した場合でも、発電部１０１からの電力を各部に対して供給することで、電池の消耗や電池の劣化を抑制できる。
【００２７】
制御部１０５は、例えば、ＣＰＵ(Central Processing Unit)から構成され、各部を制御する。制御部１０５は、発電部１０１の発電情報に応じて、認証処理を行う。すなわち、制御部１０５は、認証部として機能する。なお、発電情報に応じてとは、発電情報を使用して認証を行うこと、および、認証処理を行うために発電情報を電力として使用することの少なくとも一方を含む意味である。
【００２８】
制御部１０５は、認証処理において認証が成立すると開閉機構１０７を制御し、蓋部１０ａのロックを解除する。認証処理において認証が成立しない場合は、蓋部１０ａのロックは解除されない。
【００２９】
メモリ１０６は、例えば、ＲＯＭ(Read Only Memory)からなる。もちろん、ＲＡＭ(Random Access Memory)などの書き換え可能なメモリであってもよい。メモリ１０６には、例えば、蓋部１０aを所定回数、回転させたときに発電部１０１が発電する波形のパターンが記憶されている。例えば、蓋部１０aを３回転させたときに発電部１０１が発電する波形のパターンが記憶されている。
【００３０】
開閉機構１０７は、蓋部１０ａを開閉するための機構である。開閉機構１０７は、制御部１０５によって制御される。開閉機構１０７がロックされているときは、蓋部１０ａを開けることができない。開閉機構１０７がロックされていないときは、蓋部１０ａを開けることができる。開閉機構１０７の構造は適宜、変更できる。例えば、蓋部１０ａに爪部を設け、爪部が収納部１０ｂに係合する構造でもよい。認証が成立した場合には、蓋部１０ａが蓋取り付け部１０ｃに噛み合うことで開封できるようにされ、認証が成立しない場合には、蓋部１０ａが空回りし開封できない構造でもよい。
【００３１】
「処理の流れ」
図６は、認証装置１００における、処理の流れの一例を示すフローチャートである。ステップＳ１０では、蓋部１０ａが回転され、発電部１０１が発電したか否かが判断される。発電部１０１が発電していない場合は、処理がステップＳ１０に戻り、ステップＳ１０の判定処理が行われる。発電部１０１が発電した場合は、処理がステップＳ１１に進む。
【００３２】
ステップＳ１１では、発電部１０１が発電することで得られる発電情報が、制御部１０５によって取得される。そして、処理がステップＳ１２に進む。
【００３３】
ステップＳ１２において、制御部１０５は、取得した発電情報とメモリ１０６に記憶された認証用のパターンとを比較する。そして、処理がステップＳ１３に進む。
【００３４】
ステップＳ１３では、発電情報と認証用のパターンとが一致したか否かが判断される。発電情報と認証用のパターンとが一致しない場合は、蓋部１０ａのロックが解除されずに処理が終了する。
【００３５】
蓋部１０ａが３回、回転された場合には、発電情報と認証用のパターンとが一致する。発電情報と認証用のパターンとが一致する場合には、処理がステップＳ１４に進む。
【００３６】
ステップＳ１４において、制御部１０５は、認証が成立したものとして、蓋部１０ａのロックを解除する。そして、処理が終了する。このように、蓋部１０ａが回転されることで得られる発電情報を使用して認証処理を行う。蓋部１０ａを回転させるだけで認証がなされるので、蓋部１０ａを押しながら回転させる等の複雑な操作を必要としない。
【００３７】
なお、認証処理が他の装置によって行われてもよい。例えば、発電情報が薬品瓶１０から他の装置に通信により送信される。通信は、有線、無線でもよく、人体を媒体とした通信でもよい。他の装置は、例えば、腕時計や指輪の形状の装置、携帯端末、枕に取り付けられる装置として実現される。
【００３８】
薬品瓶１０から、例えば、近距離無線通信を使用して、発電情報が認証装置に送信される。無線の方式による通信としては、例えば、赤外線を用いた通信や、短距離低消費電力型のＡＮＴ規格による通信、「Ｚ−Ｗａｖｅ（Zensys A/S CORPORATIONの米国登録商標）」規格による通信、「Ｚｉｇｂｅｅ（ジッグビー  アライアンスの登録商標）」規格による通信、「Ｂｌｕｅｔｏｏｔｈ  Ｌｏｗ  Ｅｎｅｒｇｙ（「Ｂｌｕｅｔｏｏｔｈ」は、ブルートゥース  エスアイジー，インコーポレイテッドの登録商標）」規格による通信、ネットワーク形成が容易な「Ｗｉ  Ｆｉ（ワイ  ファイ・アライアンスの登録商標）」による通信などを利用することができるが、これらに限定されるものではない。
【００３９】
認証装置は、送信された発電情報に応じて、認証処理を行う。認証処理は、例えば、図６でステップＳ１２、ステップＳ１３と同様の処理の内容である。認証が成立しない場合は、処理が終了する。認証が成立する場合は、認証装置は、開閉機構１０７のロックを解除するための制御コマンドを生成する。生成された制御コマンドが通信により薬品瓶１０に送信される。薬品瓶１０の通信部により制御コマンドが受信され、制御コマンドが制御部１０５に供給される。制御部１０５は、供給された制御コマンドに応じて、開閉機構１０７のロックを解除する。
【００４０】
このように、認証処理が他の装置によって行われてもよい。認証装置を有しない者は、認証処理を行うことができず、薬品瓶１０を開封できないようにすることができる。
【００４１】
＜２．第２の実施形態＞
「カプセルの形状」
次に、第２の実施形態について説明する。図７は、第２の実施形態におけるカプセル状の薬品（以下、カプセル２０と、適宜、称する）の一例を示す。カプセル２０は、略中央で外装部２０ａおよび外装部２０ｂに分割可能とされる。外装部２０ａおよび外装部２０ｂは、通常、密着されており、カプセル２０内の薬剤が外部に放出されないようになされている。外装部２０ａおよび外装部２０ｂは、胃酸等の体内物質によっては溶融しないようになされている。
【００４２】
図８に示すように、外装部２０ａおよび外装部２０ｂが分離することで、カプセル２０内の薬剤２０ｃが体内に放出される。外装部２０ａおよび外装部２０ｂは、そのまま体外に排出される。カプセル２０は、自立的に外装部２０ａおよび外装部２０ｂを分離することができる。例えば、カプセル２０は、外部装置との間で認証を行い、認証が成立した場合に、外装部２０ａおよび外装部２０ｂを分離する。
【００４３】
「カプセルの構成」
図９は、カプセル２０の電気的な構成であるカプセル装置２００の構成の一例を示す。カプセル装置２００は、発電部２０１、整流回路２０２、蓄電部２０３、定電圧回路２０４、制御部２０５、メモリ２０６、通信部２０７、アンテナ２０８および分離機構２０９を含む構成とされる。例えば、整流回路２０２、蓄電部２０３および定電圧回路２０４により電源部２１０が構成される。
【００４４】
発電部２０１は、例えば、振動に応じて発電する圧電素子である。カプセル２０が体内に取り込まれると、カプセル２０が体内を通過する際に生じる振動や、身体の運動に伴う体内の振動に応じて発電部２０１が発電する。発電部２０１が、カプセル２０内部とカプセル２０外部との温度差を利用して発電するようにしてもよい。発電部２０１が、イオンの濃度差や無線による給電により発電するようにしてもよい。さらに、発電部２０１が、体内に摂取された食物の糖を使用して発電する糖−酵素電池の原理で発電するようにしてもよい。
【００４５】
発電部２０１からの発電情報は、制御部２０５に対して供給される。発電情報は、例えば、発電部２０１が生成する電圧の波形そのものでもよく、波形のレベルや波形間の時間的な間隔など、電圧の波形を使用して得られる情報でもよい。
【００４６】
整流回路２０２は、発電部２０１で発生された電圧を整流する回路である。整流回路２０２は、例えば、ダイオードやダイオードブリッジから構成される。
【００４７】
蓄電部２０３は、例えば、電気二重層キャパシタ、リチウムイオンキャパシタ、ポリアセン系有機半導体（Polyacenic Semiconductor（ＰＡＳ））キャパシタ、ナノゲートキャパシタ、セラミックコンデンサ、フィルムコンデンサ、アルミ電解コンデンサ、タンタルコンデンサなどである。蓄電部２０３は、整流回路２０２から出力される直流電圧により蓄電する。
【００４８】
定電圧回路２０４は、蓄電部２０３の出力電圧を所定の電圧に変換して、出力電圧を安定させる回路である。電源部２１０（定電圧回路２０４）からの出力電圧が、例えば、制御部２０５およびメモリ２０６に供給される。
【００４９】
このように、発電部２０１が発電した電力を蓄電し、蓄電した電力を各部に対して供給することができる。このため、例えば、各部を動作させるための電池等の電源を不要とすることができる。なお、本開示は、電池等の使用を絶対的に排除するものではない。電池を使用した場合でも、発電部２０１からの電力を各部に対して供給することで、電池の消耗や電池の劣化を抑制できる。
【００５０】
制御部２０５は、例えば、ＣＰＵから構成され、カプセル装置２００の各部を制御する。制御部２０５は、発電部２０１から供給される電力を使用して動作する。制御部２０５は、外部装置と通信を行う。例えば、制御部２０５は、外部装置に対してＩＤを要求する要求信号を生成する。制御部２０５は、生成した要求信号を通信部２０７に供給する。要求信号に対して変調処理等の所定の処理が通信部２０７により施される。所定の処理が施された要求信号がアンテナ２０８を介して外部装置に送信される。
【００５１】
制御部２０５は、さらに、認証処理を行う。認証が成立した場合に、制御部２０５は分離機構２０９を制御し、外装部２０ａおよび外装部２０ｂを分離する。外装部２０ａおよび外装部２０ｂが分離されることで、カプセル２０内の薬剤２０ｃが体内に放出される。
【００５２】
メモリ２０６は、例えば、ＲＯＭからなり、所定のＩＤを記憶する。このＩＤが認証用のデータとして使用される。
【００５３】
通信部２０７は、外部装置に対して送信する要求信号を変調する処理、外部装置から供給されるＩＤを復調する処理などを行う。通信部２０７によって変調された要求信号が、アンテナ２０８を介して外部装置に送信される。通信部２０７によって復調されたＩＤが制御部２０５に供給される。通信部２０７にアンテナ２０８を含む構成としてもよい。なお、通信部２０７によって行われる通信は、無線通信のほか、人体を誘電体としてとらえる人体通信でもよい。
【００５４】
分離機構２０９は、外装部２０ａと外装部２０ｂとを分離する機構である。機構は適宜、変更できるが、例えば、外装部２０ａと外装部２０ｂとがフック状の留め具で固定されることで、薬剤２０ｃがカプセル２０外へ放出されないように構成される。制御部２０５によってフック状の留め具が解除されることで、外装部２０ａと外装部２０ｂとが分離する。
【００５５】
「外部装置の構成」
カプセル装置２００と通信を行う外部装置について説明する。外部装置は、例えば、カプセル２０を服用するユーザの身体に取り付けられる。外部装置は、例えば、指輪や腕輪のような形状のものである。外部装置は、ユーザの身体に取り付けられるものに限られることはない。例えば、外部装置は、携帯端末や枕等の個人が有するものに設けられるものでもよい。
【００５６】
図１０は、外部装置２５０の主要な構成の一例を示す。外部装置２５０は、制御部２５１、メモリ２５２、通信部２５３およびアンテナ２５４を含む。なお、外部装置２５０に表示部などの他の構成を適宜、追加することができる。
【００５７】
制御部２５１は、例えばＣＰＵから構成され、外部装置２５０の各部を制御する。制御部２５１は、カプセル装置２００から送信される要求信号に応じてＩＤをカプセル装置２００に供給する。制御部２５１は、例えば、メモリ２５２に記憶されたＩＤを示す、所定のフォーマットのＩＤ信号を生成する。そして、制御部２５１は、ＩＤ信号を通信部２５３に供給する。通信部２５３によってＩＤ信号が変調され、変調されたＩＤ信号がアンテナ２５４を介してカプセル装置２００に供給される。
【００５８】
メモリ２５２は、例えば、ＲＯＭからなり、認証用の所定のＩＤが記憶されている。通信部２５３は、カプセル装置２００に対して送信するＩＤ信号を変調する処理、カプセル装置２００から供給される要求信号を復調する処理などを行う。通信部２５３によって変調されたＩＤ信号が、アンテナ２５４を介してカプセル装置２００に送信される。通信部２５３によって復調された要求信号が制御部２５１に供給される。通信部２５３にアンテナ２５４を含む構成としてもよい。なお、通信部２５３によって行われる通信は、無線通信のほか、人体を誘電体としてとらえる人体通信でもよい。
【００５９】
「処理の流れ」
図１１は、カプセル装置２００と外部装置２５０との間で行われる通信の、処理の流れの一例を示すフローチャートである。図１１において、図面に向かって左側に示す処理の流れは、カプセル装置２００によって行われる処理の流れを示す。図１１において、図面に向かって右側に示す処理の流れは、外部装置２５０によって行われる処理の流れを示す。
【００６０】
ステップＳ２０では、カプセル２０の服用がなされる。そして、処理がステップＳ２１に進む。ステップＳ２１では、発電部２０１が発電したか否かが判断される。発電部２０１が発電していない場合は、処理がステップＳ２１に戻る。発電部２０１が発電した場合は、処理がステップＳ２２に進む。
【００６１】
ステップＳ２２では、制御部２０５は、ＩＤを要求する要求信号を生成し、通信を開始する制御を行う。そして、処理がステップＳ２３に進む。
【００６２】
ステップＳ２３では、ＩＤを要求する要求信号が通信部２０７およびアンテナ２０８を介して外部装置２５０に送信される。
【００６３】
ステップＳ２８において、外部装置２５０は、要求信号を受信する。外部装置２５０の制御部２５１は、要求信号に応じてＩＤをメモリ２５２から読み出す。そして、読み出したＩＤに対応するＩＤ信号を生成する。ステップＳ２９において、ＩＤ信号が通信部２５３およびアンテナ２５４を介して、カプセル装置２００に送信される。
【００６４】
カプセル装置２００では、ステップＳ２４において、ＩＤ信号が送信されたか否かが判断される。ここで、例えば、所定時間、外部装置２５０からＩＤ信号が送信されない場合には、処理が終了する。この場合は、外装部２０ａおよび外装部２０ｂは分離されず、薬剤２０ｃが体内に放出されることはない。カプセル２０は、外装部が分離しない状態で体外に排出される。
【００６５】
ステップＳ２４において、外部装置２５０からＩＤ信号が送信されたと判断されると、処理がステップＳ２５に進む。ＩＤ信号は、アンテナ２０８および通信部２０７を介して制御部２０５に送信される。ステップＳ２５において、制御部２０５は、ＩＤを比較する処理を行う。すなわち、制御部２０５は、ＩＤ信号が示すＩＤと、メモリ２０６から読み出したＩＤとが一致するか否かの判断を行う。
【００６６】
ステップＳ２６において、ＩＤが一致しないと判断されると、認証が成立しないとして、処理が終了する。ステップＳ２６において、ＩＤが一致すると判断されると、認証が成立するものとして処理がステップＳ２７に進む。
【００６７】
ステップＳ２７では、カプセル２０が開放される。すなわち、制御部２０５は、分離機構２０９を分離する制御を行う。この制御によって、外装部２０ａと外装部２０ｂとが分離し、カプセル２０から薬剤２０ｃが体内に放出される。このように、認証が成立した場合に、カプセル内の薬剤を放出することができる。例えば、子供がカプセルを誤飲した場合でも、カプセル内の薬剤が体内に放出されることはない。カプセルは、体外に排泄されるため、問題は生じない。
【００６８】
なお、カプセル装置２００が、周囲のｐｈ値を測定し、ｐｈ値から特定の器官を判別するようにしてもよい。そして、認証が成立し、かつ、カプセル２０が特定の器官に存在すると判別された場合に、薬剤２０ｃが放出されるようにしてもよい。さらに、認証用のデータとして、ＩＤに代えてＤＮＡチップを使用してもよい。
【００６９】
＜３．第３の実施形態＞
「第３の実施形態の概要」
図１２は、第３の実施形態の概要を示す。第３の実施形態では、ユーザの身体（例えば、ユーザの腕）に、経皮吸収薬剤３０が貼付される。経皮吸収薬剤３０は、例えば、カードサイズの厚みとされる。経皮吸収薬剤は、経口投与の薬剤のように、例えば、食後などのように服用間隔が決められたり、発作的な症状がでた場合に薬剤を服用する等の制約がない。
【００７０】
しかしながら、経皮吸収薬剤は、使用すべき患者か否かに関わらず、薬剤の成分が放出されてしまう問題があった。例えば、子供が経皮吸収薬剤を誤って身体に貼ってしまった場合に、子供の体内に薬剤が放出されてしまう問題があった。第３の実施形態では、認証が成立した場合に、経皮吸収薬剤の薬剤を放出する。
【００７１】
「認証装置の構成」
経皮吸収薬剤３０は、認証装置３００を有する。認証装置３００は、例えば、１チップ状の装置として、経皮吸収薬剤３０に取り付けられている。図１３は、認証装置３００の構成の一例を示す。認証装置３００は、発電部３０１、整流回路３０２、蓄電部３０３、定電圧回路３０４、制御部３０５、メモリ３０６および吐出部３０７を含む構成とされる。例えば、整流回路３０２、蓄電部３０３および定電圧回路３０４により電源部３０８が構成される。
【００７２】
発電部３０１は、例えば、振動に応じて発電する圧電素子（マイクロピエゾ）である。発電部３０１が皮膚の表面の熱で発電するようにしてもよい。イオン濃度差で発電するようにしてもよい。イオン濃度差による発電としては、侵襲型の場合は、身体のある部位（例えば、真皮）と他の部位、あるいは体表とのイオン濃度差により電気的なエネルギーを得るものがある。非侵襲型の場合は、例えば、体表の汗により電気的なエネルギーを得るものがある。発電部３０１からの発電情報が、制御部３０５に対して供給される。
【００７３】
整流回路３０２は、発電部３０１で発生された電圧を整流する回路である。整流回路３０２は、例えば、ダイオードやダイオードブリッジから構成される。
【００７４】
蓄電部３０３は、例えば、電気二重層キャパシタ、リチウムイオンキャパシタ、ポリアセン系有機半導体（Polyacenic Semiconductor（ＰＡＳ））キャパシタ、ナノゲートキャパシタ、セラミックコンデンサ、フィルムコンデンサ、アルミ電解コンデンサ、タンタルコンデンサなどである。蓄電部３０３は、整流回路３０２から出力される直流電圧により蓄電する。
【００７５】
定電圧回路３０４は、蓄電部３０３の出力電圧を所定の電圧に変換して、出力電圧を安定させる回路である。電源部３０８（定電圧回路３０４）からの出力電圧が、例えば、制御部３０５およびメモリ３０６に供給される。
【００７６】
このように、発電部３０１が発電した電力を蓄電し、蓄電した電力を各部に対して供給することができる。このため、例えば、各部を動作させるための電池等の電源を不要とすることができる。なお、本開示は、電池等の使用を絶対的に排除するものではない。電池を使用した場合でも、発電部３０１からの電力を各部に対して供給することで、電池の消耗や電池の劣化を抑制できる。
【００７７】
制御部３０５は、例えば、ＣＰＵから構成され、認証装置３００の各部を制御する。制御部３０５は、発電部３０１の発電情報に応じて認証処理を行う。制御部３０５は、認証が成立する場合に、吐出部３０７から薬剤が皮膚を介して体内に放出されるように、吐出部３０７を制御する。
【００７８】
メモリ３０６は、例えば、ＲＯＭからなり、発電情報のパターンが記憶されている。複数の発電情報のパターンが記憶されてもよい。例えば、大人の行動（運動量）に応じた発電情報のパターンおよび運動量に応じた薬液の投与量がメモリ３０６に記憶されている。
【００７９】
吐出部３０７は、例えば、極小の針状の形状を有する。経皮吸収薬剤３０の一面（皮膚に貼付される面）に、複数の吐出部３０７が形成されている。制御部３０５の制御によって吐出部３０７に薬剤が注液される。注液された薬液は、吐出部３０７から吐出された後、皮膚を経て体内に吸収される。運動量に対応して適量の投薬を行う場合は、発電情報を適宜、運動量に置換し、この運動量とメモリ３０６に記憶されている運動量のパターンとが比較される。
【００８０】
「処理の流れ」
図１４は、第３の実施形態の処理の流れの一例を示すフローチャートである。ステップＳ３１において、制御部３０５は、発電部３０１により生成された発電情報を取得する。そして、処理がステップＳ３２に進む。
【００８１】
ステップＳ３２において、制御部３０５は、発電部３０１から供給される発電情報と、メモリ３０６に記憶された発電情報とを比較する。ここで、メモリ３０６には、例えば、大人の運動量に基づく発電情報のパターンが記憶されている。発電部３０１から供給される発電情報が、メモリ３０６に記憶されている発電情報のパターンと略一致する場合には、経皮吸収薬剤３０を使用しているユーザが大人であると判定できる。ステップＳ３２において、経皮吸収薬剤３０を使用しているユーザが大人でないと判定されると処理が終了する。
【００８２】
ステップＳ３２において、経皮吸収薬剤３０を使用しているユーザが大人であると判定されると、処理がステップＳ３３に進む。ステップＳ３３において、制御部３０５は、吐出部３０７に対して必要な量の薬液を注入する。例えば、発電情報に応じた運動量を取得し、取得した運動量に対応する量の薬液を吐出部３０７に注入する。例えば、発電情報に対応する運動量と、運動量に対応する薬液の量がメモリ３０６に予め記憶されている。制御部３０５は、発電情報に応じた運動量を読み出すことで、運動量を取得できる。発電情報に対して所定の演算を行うことで運動量が取得されるようにしてもよい。発電情報に対応する薬液の量がメモリ３０６に記憶されてもよい。注液された薬液は、吐出部３０７から吐出された後、皮膚を経て体内に吸収される。
【００８３】
以上の処理により、例えば、子供が経皮吸収薬剤３０を誤って貼付しても、経皮吸収薬剤が誤って体内に吸収されることを防止できる。さらに、大人に対しては、ユーザの運動量に対応する量の薬液が体内に吸収されるようにすることができる。これにより、例えば、運動量に応じた薬効を出すことができる。
【００８４】
なお、認証が成立した後は、薬剤が断続的に吐出部３０７に注入されてもよく、所定量の薬剤が定期的に注入されるようにしてもよい。吐出部３０７へ薬液を注入した履歴を保持するようにしてもよい。
【００８５】
メモリ３０６に個人の運動量や個人の生活パターンに対応した発電情報のパターンを記憶してもよい。経皮吸収薬剤３０を使用しているユーザが、その個人であるか否かの認証を行うようにしてもよい。さらに、行動量等に限らず、体温などに応じた発電情報のパターンが記憶されるようにしてもよい。
【００８６】
＜４．第４の実施形態＞
「第４の実施形態の概要」
次に、第４の実施形態について説明する。第４の実施形態は、例えば、薬剤を服用したタイミングの履歴（ログ）を記憶するものである。図１５は、第４の実施形態の概要を示す。図１５Ａに示すように薬剤４１がＰＴＰ（Press Through Package）と呼ばれる包装形態で包装されている。ＰＴＰ４０は、アルミニウムなどの薄板状の金属部４０ａと、金属部４０ａから突出するようにして形成されるプラスチック部４０ｂとを含む。図１５Ｂに示すように、プラスチック部４０ｂが指Ｆで押下されることで、薬剤４１が取り出される。
【００８７】
指Ｆによって押される箇所に、発電部が形成されている。発電部は、例えば、押下されることで発電する圧電素子４０ｃである。図１５Ｂに示すように、指Ｆで圧電素子４０ｃが押下されると、圧電素子４０ｃが発電する。圧電素子４０ｃが発電することに応じて、携帯端末４５０に対して所定のデータが送信される。なお、図示は省略しているが、ＰＴＰ４０には、チップ状の送信装置４００が取り付けられている。
【００８８】
「送信装置の構成」
図１６は、送信装置４００の構成の一例を示す。送信装置４００は、発電部４０１、整流回路４０２、蓄電部４０３、定電圧回路４０４、制御部４０５、メモリ４０６、通信部４０７およびアンテナ４０８を含む構成とされる。例えば、整流回路４０２、蓄電部４０３および定電圧回路４０４により電源部４０９が構成される。
【００８９】
発電部４０１は、例えば、圧電素子４０ｃである。薬剤４１が取り出されると圧電素子４０ｃの箇所が押下され、発電部４０１が発電する。発電部４０１からの発電情報は、制御部４０５に対して供給される。発電情報は、例えば、発電部４０１が生成する電圧の波形そのものでもよく、波形のレベルや波形間の時間的な間隔など、電圧の波形を使用して得られる情報でもよい。
【００９０】
整流回路４０２は、発電部４０１で発生された電圧を整流する回路である。整流回路４０２は、例えば、ダイオードやダイオードブリッジから構成される。
【００９１】
蓄電部４０３は、例えば、電気二重層キャパシタ、リチウムイオンキャパシタ、ポリアセン系有機半導体（Polyacenic Semiconductor（ＰＡＳ））キャパシタ、ナノゲートキャパシタ、セラミックコンデンサ、フィルムコンデンサ、アルミ電解コンデンサ、タンタルコンデンサなどである。蓄電部４０３は、整流回路４０２から出力される直流電圧により蓄電する。
【００９２】
定電圧回路４０４は、蓄電部４０３の出力電圧を所定の電圧に変換して、出力電圧を安定させる回路である。電源部４０９（定電圧回路４０４）からの出力電圧が、例えば、制御部４０５およびメモリ４０６に供給される。
【００９３】
このように、発電部４０１が発電した電力を蓄電し、蓄電した電力を各部に対して供給することができる。このため、例えば、各部を動作させるための電池等の電源を不要とすることができる。なお、本開示は、電池等の使用を絶対的に排除するものではない。電池を使用した場合でも、発電部４０１からの電力を各部に対して供給することで、電池の消耗や電池の劣化を抑制できる。
【００９４】
制御部４０５は、例えば、ＣＰＵから構成され、送信装置４００の各部を制御する。制御部４０５は、発電部４０１から供給される電力を使用して動作する。制御部４０５は、携帯端末４５０と通信を行う。例えば、制御部４０５は、外部装置に対して所定のフォーマットのＩＤ信号を送信する。制御部４０５は、生成したＩＤ信号を通信部４０７に供給する。ＩＤ信号に対して変調処理等の所定の処理が通信部４０７により施される。所定の処理が施されたＩＤ信号がアンテナ４０８を介して携帯端末４５０に送信される。
【００９５】
メモリ４０６は、例えば、ＲＯＭからなり、所定のＩＤを記憶する。所定のＩＤは、例えば、薬剤の種類ごとに割り当てられるＩＤである。
【００９６】
通信部４０７は、携帯端末４５０に対して送信するＩＤ信号を変調する処理などを行う。通信部４０７によって変調されたＩＤ信号が、アンテナ４０８を介して携帯端末４５０に送信される。なお、通信部４０７にアンテナ４０８を含むようにしてもよい。
【００９７】
「携帯端末の構成」
図１７は、携帯端末の構成の一例を示す。携帯端末４５０は、例えば、制御部４５１、表示部４５２、音声処理部４５３、スピーカ４５４、データベース４５５、通信部４５６、アンテナ４５７を含む構成とされる。
【００９８】
制御部４５１は、例えば、ＣＰＵからなり、携帯端末４５０の各部を制御する。制御部４５１は、例えば、送信装置４００からＩＤ信号が送信されたタイミングの履歴をデータベースに記憶する。なお、図示は省略しているが、制御部４５１は、現在時刻を計時するＲＴＣ(Real Time Clock)を有する。
【００９９】
表示部４５２は、ＬＣＤ(Liquid Crystal Display)や有機ＥＬ(Electroluminescence)などの表示パネルや、これらの表示パネルを駆動するための表示ドライバを含む。表示部４５２には、携帯端末４５０を操作するためのメニュー表示などが表示される。なお、表示部４５２がタッチパネルとして構成されてもよい。
【０１００】
音声処理部４５３は、音声データに対するＡ／Ｄ(Analog to Digital)変換処理やレベルコントロール処理等を行う。音声処理部４５３によって処理を施された音声データがスピーカ４５４から再生される。スピーカ４５４からは、例えば、薬剤を服用するタイミングを報知する音声などが再生される。
【０１０１】
データベース４５５は、例えば、不揮発性のメモリからなる。データベース４５５は、携帯端末４５０に対して着脱自在とされるメモリでもよい。データベース４５５には、例えば、送信装置４００からＩＤ信号が送信されたタイミングが記憶される。
【０１０２】
通信部４５６は、例えば、アンテナ４５７を介して受信したＩＤ信号を復調する処理などを行う。通信部４５６によって復調されたＩＤ信号が、制御部４５１に供給される。携帯端末４５０からデータを送信する際には、通信部４５６は、データを変調する処理などを行う。なお、アンテナ４５７が通信部４５６に含まれる構成としてもよい。
【０１０３】
「処理の流れ」
図１８は、第４の実施形態における、処理の流れの一例を示すフローチャートである。図１８において、左側の処理が送信装置４００の処理を示す。図１８において、右側の処理が携帯端末４５０の処理を示す。
【０１０４】
ステップＳ４０において、圧電素子４０ｃが押下されることでＰＴＰ４０が開封され、薬剤４１が取り出される。そして、処理がステップＳ４１に進む。ステップＳ４１では、圧電素子４０ｃが押下されたことから、発電部４０１が発電する。そして、処理がステップＳ４２に進む。
【０１０５】
ステップＳ４２では、制御部４０５によって所定のフォーマットの信号が生成される。発電部４０１が発電したことから、薬剤４１が服用されたと判定できる。制御部４０５は、薬剤４１が服用されたことを携帯端末４５０に通知する。所定のフォーマットの信号は、メモリ４０６に記憶されたＩＤに対応するＩＤ信号である。処理がステップＳ４３に進む。
【０１０６】
ステップＳ４３では、ＩＤ信号が通信部４０７およびアンテナ４０８を介して、携帯端末４５０に送信される。
【０１０７】
ステップＳ４４において、携帯端末４５０によってＩＤ信号が受信される。ＩＤ信号がアンテナ４５７によって受信され、受信されたＩＤ信号に対して通信部４５６による復調処理等が行われる。復調処理等が施されたＩＤ信号が制御部４５１に供給される。制御部４５１は、ＩＤ信号によって示されるＩＤが所定のＩＤを示す場合に、ＲＴＣから得られる日時情報をデータベース４５５に記憶する。このように、発電部が発電したタイミングを記憶することで薬剤を服用した履歴を記憶することができる。
【０１０８】
なお、例えば、データベースに記憶された履歴から、ユーザが薬剤を服用するタイミングを学習してもよい。学習によって得られたタイミング（時間）から所定時間、経過してもＩＤ信号が送信された場合には、薬剤を服用することをユーザが忘れていると判断してもよい。そして、携帯端末のスピーカから警告メッセージ等を再生することで、薬剤の服用を促すようにしてもよい。
【０１０９】
さらに、学習によって得られたタイミングと異なるタイミングでＩＤ信号が供給された場合には、例えば、子供が誤ってＰＨＰ４０を開封したおそれが有ると判定してもよい。そして、携帯端末のスピーカから警告音を再生するようにしてもよい。これにより、子供が薬剤を誤飲してしまうことを防止できる。
【０１１０】
＜５．変形例＞
以上、本開示の一実施形態について説明したが、本開示は、上述した実施形態に限られることなく、種々の変形が可能である。以下、変形例について説明する。
【０１１１】
例えば、第１の実施形態で例示した瓶（薬品瓶１０）に収納されるものは、薬剤に限られることはない。例えば、砂糖や塩などを収納できる。粉体に限らず、シャンプーやリンスなどの液状のものでもよい。このように、汎用的に使用される瓶としてもよい。
【０１１２】
なお、認証が成立した場合に、瓶内の内容物を知らせる音声（メッセージ）を再生することが好ましい。認証に成功したユーザが、瓶の内容物を誤解することを防止できる。メッセージに限らず、内容物に応じたメロディを再生するようにしてもよい。メッセージやメロディは、例えば、メモリに記憶される。メッセージやメロディは、瓶に設けられたスピーカから再生されてもよい。メッセージやメロディが、携帯端末やホームサーバに送信され、携帯端末やホームサーバから再生されるようにしてもよい。
【０１１３】
瓶が薬剤を収納する場合は、瓶を振動させることでユーザに注意を促すようにしてもよい。さらに、メッセージを表示するようにしてもよい。ＬＥＤ(Light Emitting Diode)などを点灯させ、光によって注意を促すようにしてもよい。
【０１１４】
認証した場合に、薬剤等が適量、供給されるようにしてもよい。例えば、飲料用のカップに圧電素子が設けられる。圧電素子が所定回数、押下され、その回数に応じて認証が行われるようにしてもよい。認証が成立した場合に、適量の薬剤が蛇口などから放出されるようにしてもよい。
【０１１５】
本開示は、装置のほか、方法や複数の装置からなるシステムとして実現することができる。さらに、本開示は、例示した処理が複数の装置によって分散して処理される、いわゆるクラウドシステムに対して適用することができる。例えば、例示した処理の全部または一部が行われるシステムであって、その全部または一部の処理のうち、一部の処理が行われる装置として構成することもできる。
【０１１６】
なお、実施形態および変形例における構成および処理は一例であり、技術的矛盾が生じない範囲で適宜、構成等の追加、削除または変更することができる。さらに、実施形態および変形例において例示した構成、材料、通信の方式等は、技術的矛盾が生じない範囲で適宜、組み合わせることができる。
【０１１７】
本開示は、以下の構成をとることもできる。
（１）
周囲の環境に存在するエネルギーに基づいて発電する発電部からの発電情報に応じて、認証処理を行う認証部を有する認証装置。
（２）
前記発電部で生成された電力が前記認証部に供給される（１）に記載の認証装置。
（３）
前記発電部が前記発電情報を生成したタイミングを記憶する記憶部を有する（１）に記載の認証装置。
（４）
所定の発電情報が記憶される記憶部を有し、
前記認証部は、前記所定の発電情報と前記発電部からの発電情報とを比較することにより前記認証処理を行う（１）または（２）に記載の認証装置。
（５）
周囲の環境に存在するエネルギーに基づいて発電する発電部からの発電情報に応じて、認証処理を行う認証装置における認証方法。
（６）
周囲の環境に存在するエネルギーに基づいて発電する発電部と、
前記発電部からの発電情報に応じて、認証処理を行う認証部と
を有する認証システム。
（７）
所定の収納物を収納する収納部と、
周囲の環境に存在するエネルギーに基づいて発電する発電部からの発電情報に応じて、認証処理を行う認証部と
を有する収納システム。
（８）
前記認証処理において認証が成立する場合に、前記収納物を前記収納部から外部に取り出し可能とする（７）に記載の収納システム。
（９）
前記認証処理において認証が成立する場合に、前記収納物を前記収納部から外部に放出する（７）に記載の収納システム。
（１０）
前記認証処理において認証が成立する場合に、前記収納物に対して前記所定物を適量、収納する（７）に記載の収納システム。
（１１）
前記認証処理において認証が成立する場合に、前記収納物を示す情報を報知する（７）に記載の収納システム。
【符号の説明】
【０１１８】
１０・・・薬品瓶
１００・・・認証装置
１０１・・・発電部
１０５・・・制御部
１０７・・・開閉機構
１１０・・・電源部
２０・・・カプセル
２００・・・カプセル装置
２０５・・・制御部
２０９・・・開閉機構
３００・・・認証装置
【図１】
2013188345.tif 000003
【図２】
2013188345.tif 000004
【図３】
2013188345.tif 000005
【図４】
2013188345.tif 000006
【図５】
2013188345.tif 000007
【図６】
2013188345.tif 000008
【図７】
2013188345.tif 000009
【図８】
2013188345.tif 000010
【図９】
2013188345.tif 000011
【図１０】
2013188345.tif 000012
【図１１】
2013188345.tif 000013
【図１２】
2013188345.tif 000014
【図１３】
2013188345.tif 000015
【図１４】
2013188345.tif 000016
【図１５】
2013188345.tif 000017
【図１６】
2013188345.tif 000018
【図１７】
2013188345.tif 000019
【図１８】
2013188345.tif 000020